(57)【要約】【課題】光源部及びこれを保持するベース部を備えた照明装置において、光源部をベース部から容易に取り外すことができるようにする。【解決手段】照明装置１は、平板形状の光源部２と、光源部２を保持しかつ光源部２に給電する給電部３２を有したベース部３と、を備える。光源部２は、平板状の発光パネル２１と、発光パネル２１を収容するモジュールケース２２と、ベース部３と対向する装着面２Ａの両縁に夫々に設けられてモジュールケース２２をベース部３に着脱可能に保持する係合部２３及び保持部２４と、を有する。光源部２は、モジュールケース２２の側面２２ｂ又は装着面２Ａの少なくとも一方に設けられて光源部２及びベース部３により区画された空間の外部に引き出し可能とされたフック４を有する。この構成によれば、光源部２の正面側へ引き出されたフック４をユーザが引っ張ることで、光源部２をベース部３から容易に取り外すことができる。【選択図】図５
2014107116.tif 000002
【特許請求の範囲】
【請求項１】
光源部と、前記光源部を保持し、かつ該光源部に給電する給電部を有したベース部と、を備えた照明装置であって、
前記光源部は、平板状の発光パネルと、前記発光パネルを収容するモジュールケースと、前記ベース部と対向する前記モジュールケースの装着面の一縁部に設けられて前記モジュールケースを前記ベース部に係合させる係合部と、前記装着面の他縁部に設けられて前記係合部を前記ベース部に係合させた状態で前記モジュールケースを前記ベース部に着脱可能に保持する保持部と、前記モジュールケースの側面又は前記装着面の少なくとも一方に設けられて前記光源部及びベース部により区画された空間の外部へ引き出し可能とされたフックと、を有することを特徴とする照明装置。
【請求項２】
前記ベース部は、前記係合部と係合する被係合部と、前記保持部を保持する被保持部と、を有し、
前記フックは、前記モジュールケースの側面又は前記装着面の少なくとも一方と、前記被係合部及び被保持部のいずれか一方との間に収納されることを特徴とする請求項１に記載の照明装置。
【請求項３】
前記フックは、前記保持部又は前記係合部の一方にスライド可能に取り付けられ、スライドすることにより、前記光源部の正面側へ引き出されることを特徴とする請求項１又は請求項２に記載の照明装置。
【請求項４】
前記フックは、前記モジュールケースの側面にヒンジを介して接続され、該ヒンジを中心として回動することにより、前記光源部の正面側へ引き出されることを特徴とする請求項１又は請求項２に記載の照明装置。
【請求項５】
前記モジュールケースは、その側面に前記フックを収納する切り欠き部を有することを特徴とする請求項１乃至請求項４のいずれか一項に記載の照明装置。
【請求項６】
前記フックは、前記モジュールケースの片縁の中央に配置されていることを特徴とする請求項１乃至請求項５のいずれか一項に記載の照明装置。
【請求項７】
前記フックを複数備え、これらのフックが、前記モジュールケースの片縁の中央に対して対称となる位置に配置されていることを特徴とする請求項１乃至請求項５のいずれか一項に記載の照明装置。
【請求項８】
光源部と、前記光源部を保持し、かつ該光源部に給電する給電部を有したベース部と、を備えた照明装置であって、
前記光源部は、平板状の発光パネルと、前記発光パネルを収容し、かつ前記発光パネルからの光を出射する開口面を有したモジュールケースと、前記ベース部と対向する前記モジュールケースの装着面の一縁部に設けられて前記モジュールケースを前記ベース部に係合させる係合部と、前記装着面の他縁部に設けられて前記係合部を前記ベース部に係合させた状態で前記モジュールケースを前記ベース部に着脱可能に保持する保持部と、前記モジュールケースに一端を固定され、前記開口面側に沿うように延出され、前記光源部及びベース部により区画された空間の外部へ引き出し可能とされたテープ状のフックと、を有する照明装置。
【請求項９】
光源部と、前記光源部を保持し、かつ該光源部に給電する給電部を有したベース部と、を備えた照明装置であって、
前記光源部は、平板状の発光パネルと、前記発光パネルを収容し、かつ前記発光パネルからの光を出射する開口面を有したモジュールケースと、前記ベース部と対向する装着面の一縁部に設けられて前記モジュールケースを前記ベース部に係合させる係合部と、前記装着面の他縁部に設けられて前記係合部を前記ベース部に係合させた状態で前記モジュールケースを前記ベース部に着脱可能に保持する保持部と、前記開口面に設けられた透光性カバー又は前記モジュールケースの少なくとも一方に設けられて前記光源部及びベース部により区画された空間の外部へ引き出し可能とされたフックと、を有し、
前記フックは、粘着面を有するテープ状部材から成ることを特徴とする照明装置。
【請求項１０】
前記テープ状部材は、前記モジュールケースに固定され、前記モジュールケースの外側又は内側に折り畳まれて収納されることを特徴とする請求項９に記載の照明装置。
【請求項１１】
前記テープ状部材は、前記モジュールケースの正面又は内側面の少なくとも一方に固定されることを特徴とする請求項１０に記載の照明装置。
【発明の詳細な説明】
【技術分野】
【０００１】
本発明は、有機ＥＬ素子を光源とする照明装置に関する。
【背景技術】
【０００２】
有機ＥＬ素子は、低電圧で高輝度の発光が可能であり、含有する有機化合物の種類によって様々な発光色が得られ、かつ平板状の発光パネルとしての製造が容易である。そのため、近年、有機ＥＬ素子を照明装置の光源として用いることが注目されている。
【０００３】
この種のものとして、有機ＥＬ素子を光源とする平板形状の光源部と、光源部に給電しかつこの光源部を支持する基板（ベース部）と、を備えた照明器具がある（例えば、特許文献１参照）。この照明器具によれば、ベース部には、光源部と対向する面に給電部が複数設けられているので、このベース部に複数の光源部をマトリックス状に配置することにより、大型の面状発光体を得ることができる。
【先行技術文献】
【特許文献】
【０００４】
【特許文献１】特開２０１２−１０４５０４号公報
【発明の概要】
【発明が解決しようとする課題】
【０００５】
しかしながら、有機ＥＬ素子には所定の発光寿命があり、この有機ＥＬ素子が組み込まれた光源部を所定期間毎に取り替える必要がある。ところが、上記特許文献１に記載の照明器具は、光源部の着脱が想定されていない。そのため、例えば、複数の光源部がマトリックス状に隣接して配されたとき、それら光源部間の隙間にユーザの指や工具を差し込むことができず、ベース部から光源部を取り外すことが容易でない。
【０００６】
本発明は、上記課題を解決するものであって、光源部を、この光源部を保持するベース部から容易に取り外すことができる照明装置を提供することを目的とする。
【課題を解決するための手段】
【０００７】
本発明の照明装置は、光源部と、前記光源部を保持し、かつ該光源部に給電する給電部を有したベース部と、を備えた照明装置であって、前記光源部は、平板状の発光パネルと、前記発光パネルを収容するモジュールケースと、前記ベース部と対向する前記モジュールケースの装着面の一縁部に設けられて前記モジュールケースを前記ベース部に係合させる係合部と、前記装着面の他縁部に設けられて前記係合部を前記ベース部に係合させた状態で前記モジュールケースを前記ベース部に着脱可能に保持する保持部と、前記モジュールケースの側面又は前記装着面の少なくとも一方に設けられて前記光源部及びベース部により区画された空間の外部へ引き出し可能とされたフックと、を有することを特徴とする。
【０００８】
上記照明装置において、前記ベース部は、前記係合部と係合する被係合部と、前記保持部を保持する被保持部と、を有し、前記フックは、前記モジュールケースの側面又は前記装着面の少なくとも一方と、前記被係合部及び被保持部のいずれか一方との間に収納されることが好ましい。
【０００９】
上記照明装置において、前記フックは、前記保持部又は係合部の一方にスライド可能に取り付けられ、スライドすることにより、前記光源部の正面側へ引き出されることが好ましい。
【００１０】
上記照明装置において、前記フックは、前記モジュールケースの側面にヒンジを介して接続され、該ヒンジを中心として回動することにより、前記光源部の正面側へ引き出されることが好ましい。
【００１１】
上記照明装置において、前記モジュールケースは、その側面に前記フックを収納する切り欠き部を有することが好ましい。
【００１２】
上記照明装置において、前記フックは、前記モジュールケースの片縁の中央に配置されていることが好ましい。
【００１３】
上記照明装置において、前記フックを複数備え、これらのフックが、前記モジュールケースの片縁の中央に対して対称となる位置に配置されていることが好ましい。
【００１４】
また、本発明は、光源部と、前記光源部を保持し、かつ該光源部に給電する給電部を有したベース部と、を備えた照明装置であって、前記光源部は、平板状の発光パネルと、前記発光パネルを収容し、かつ前記発光パネルからの光を出射する開口面を有したモジュールケースと、前記ベース部と対向する前記モジュールケースの装着面の一縁部に設けられて前記モジュールケースを前記ベース部に係合させる係合部と、前記装着面の他縁部に設けられて前記係合部を前記ベース部に係合させた状態で前記モジュールケースを前記ベース部に着脱可能に保持する保持部と、前記モジュールケースに一端を固定され、前記開口面側に沿うように延出され、前記光源部及びベース部により区画された空間の外部へ引き出し可能とされたテープ状のフックと、を有するものであってもよい。
【００１５】
また、本発明は、光源部と、前記光源部を保持し、かつ該光源部に給電する給電部を有したベース部と、を備えた照明装置であって、前記光源部は、平板状の発光パネルと、前記発光パネルを収容し、かつ前記発光パネルからの光を出射する開口面を有したモジュールケースと、前記ベース部と対向する装着面の一縁部に設けられて前記モジュールケースを前記ベース部に係合させる係合部と、前記装着面の他縁部に設けられて前記係合部を前記ベース部に係合させた状態で前記モジュールケースを前記ベース部に着脱可能に保持する保持部と、前記開口面に設けられた透光性カバー又は前記モジュールケースの少なくとも一方に設けられて前記光源部及びベース部により区画された空間の外部へ引き出し可能とされたフックと、を有し、前記フックは、粘着面を有するテープ状部材から成るものであってもよい。
【００１６】
上記照明装置において、前記テープ状部材は、前記モジュールケースに固定され、前記モジュールケースの外側又は内側に折り畳まれて収納されることが好ましい。
【００１７】
上記照明前記テープ状部材は、前記モジュールケースの正面又は内側面の少なくとも一方に固定されることが好ましい。
【発明の効果】
【００１８】
本発明によれば、光源部及びベース部により区画された空間の外部へフックを引き出すことができるので、このフックをユーザが引っ張ることで、光源部をベース部から容易に取り外すことができる。
【図面の簡単な説明】
【００１９】
【図１】本発明の第１の実施形態に係る照明装置の分解斜視図。
【図２】（ａ）（ｂ）は、同照明装置を構成する光源部のバリエーションを示す斜視図。
【図３】同照明装置の斜視図。
【図４】同照明装置の回路図。
【図５】同照明装置を構成する光源部及びベース部の部分拡大斜視図。
【図６】（ａ）（ｂ）は、ベース部から光源部を取り外す手順を示す側面図。
【図７】上記実施形態の第１の変形例に係る照明装置における光源部の部分拡大斜視図。
【図８】上記実施形態の第２の変形例に係る照明装置における光源部の部分拡大斜視図。
【図９】本発明の第２の実施形態に係る照明装置における光源部の斜視図。
【図１０】上記実施形態の第１の変形例に係る照明装置における光源部の斜視図。
【図１１】上記実施形態の第２の変形例に係る照明装置における光源部の斜視図。
【図１２】上記実施形態の第３の変形例に係る照明装置における光源部の一部分解斜視図。
【発明を実施するための形態】
【００２０】
本発明の第１の実施形態に係る照明装置について、図１乃至図６を参照して説明する。図１に示すように、本実施形態に係る照明装置１は、光源部２と、この光源部２に給電しかつ光源部２を保持するベース部３と、を備える。ベース部３は、好ましくは長尺形状とされ、一方の面を取付面とし、この取付面を介して天井や壁等に取り付けられる。ベース部３は、その長辺の長さが光源部２の縁部の長さよりも長い場合には、複数の光源部２を保持することができる。
【００２１】
光源部２は、平板状の発光パネル２１（後述する図５も参照）と、発光パネル２１を収容するモジュールケース２２と、を有する。また、光源部２は、ベース部３と対向するモジュールケース２２の装着面２Ａの一縁部に設けられて、モジュールケース２２をベース部３に係合させる係合部２３を有する。更に、光源部２は、装着面２Ａにおいて係合部２３と対峙する他縁部に設けられて係合部２３をベース部３に係合させた状態でモジュールケース２２をベース部３に着脱可能に保持する保持部２４を有する。係合部２３及び保持部２４の少なくとも一方、本例では、保持部２４が、スライド可能とされ、かつ対峙する係合部２３と反対方向へ付勢されている。また、光源部２は、夫々の装着面２Ａから立設された複数の給電端子２５を有する。これらの給電端子２５（図例では一対）は、係合部２３及び保持部２４を結ぶ直線上に配されている。これらの給電端子２５は、配線基板及びワイヤ等を介して発光パネル２１と電気的に接続されている。
【００２２】
ベース部３は、平板状の平面部３１と、平面部３１にベース部３の長手方向に沿って形成されて光源部２に給電するための給電部３２と、平面部３１の両縁に屈曲形成された縁部と、を有する。給電部３２は、上記各給電端子２５と夫々接続される複数の導電部材と、これらの導電部材を保護すると共に光源部２の給電端子２５が差し込まれるレールと、を有する。縁部は、長手方向に直交する側面が、平面部３１に対してＬ字状に立設され、更にその先端が内向きに凸なＶ字状となるように屈曲形成されている。そのため、平面部３１に対する立設部が、Ｖ字状部に対して凹んだ形状となり、凹んだ縁部の一方が、光源部２の係合部２３と係合する被係合部３３として機能し、他方が光源部２の保持部２４と係合する被保持部３４として機能する。
【００２３】
図２（ａ）（ｂ）に示すように、光源部２には、互いに大きさの異なる複数の形状のものが採用され得る。図２（ａ）に示す光源部２は、図２（ｂ）に示す光源部２の発光面の大きさが４倍である。なお、ここで言う発光面とは、実質的に発光パネル２１からの光を出射する開口面２２ａの大きさを指す。最小の大きさの光源部２は正方矩形状であり、長尺形状の光源部２は、その長手方向の長さが、正方形状の光源部２の一片辺の整数倍とされる。また、ベース部３は、これらを保持できるように、その長手方向の長さが、正方形状の光源部２の一片辺の整数倍とされる。
【００２４】
図３に示すように、ベース部３は、正方矩形状の光源部２ａと、長手方向の長さが光源部２ａの２倍の長さの光源部２ｂ、光源部２ａの４倍の光源部２ｃといった、異なる大きさの複数の光源部２を同時に保持することができる。ここでは、図示したように、光源部２ａ、２ｂ、２ｃ各々の長手方向に沿う辺の長さは、夫々７５ｍｍ、１５０ｍｍ、３００ｍｍとされる。また、光源部２ａ、２ｂ、２ｃの各々は、ベース部３に装着されたときにベース部３の短手方向に沿う辺（以下、短手方向に沿う辺という）の長さがすべて７５ｍｍとされる。また、ベース部３の長手方向の長さは、例えば、光源部２ａ、２ｂ、２ｃの長手方向に沿う辺の長さの合計と等しい５２５ｍｍ（７５ｍｍ＋１５０ｍｍ＋３００ｍｍ）に設定される。これにより、光源部２ａ、２ｂ、２ｃを、ベース部３の長手方向全長に亘って隙間なく配置することができる。一方、ベース部３の短手方向の長さは、光源部２ａ、２ｂ、２ｃの短手方向に沿う辺の長さと等しい７５ｍｍに設定される。なお、複数の光源部２が、隙間を空けて配置されてもよく、ベース部３の任意の位置に配置することができる。また、複数の光源部２を一定の間隔を空けて配置した場合、この空いた間隔に、光源部２と同形状で発光パネル２１を内装しないダミーケース（不図示）を取り付けることもできる。
【００２５】
図４に示すように、照明装置１は、ベース部３の給電部３２を介して光源部２を点灯駆動するための点灯回路に接続されている。点灯回路は、例えば、商用電源ＡＣからの交流電流を直流電流に変換するＡＣ／ＤＣコンバータと、直流電流電圧を所望の電圧に変圧するＤＣ／ＤＣコンバータと、変圧された直流電流の照明装置１への供給を制御するドライバと、を備える。これらＡＣ／ＤＣコンバータ、ＤＣ／ＤＣコンバータ及びドライバは、照明装置１が取り付けられる天井や壁に埋設される。ドライバから供給された直流電流は、給電部３２を介して各光源部２ｃ、２ｂ、２ａに通電される。
【００２６】
光源部２のモジュールケース２２は、装着面２Ａと反対側に開口面２２ａ（図２（ａ）（ｂ）参照）を有する箱形状とされ、図５に示すように、その内部空間に発光パネル２１が収容され、発光パネル２１の発光面側を覆うように透光性カバー２６が設けられる。透光性カバー２６は、上記開口に嵌り込む形状に形成され、モジュールケース２２の内側面に係止される複数の係止爪（不図示）を有する。また、発光パネル２１の非発光面側には配線基板２７が配される。この配線基板２７は、給電端子２５と接続された配線回路（不図示）と、発光パネル２１の外縁に延設された補助電極と上記配線回路とをワイヤ等を介して接続するためのランド部（不図示）と、を有し、発光パネル２１と共にモジュールケース２２内に収容される。
【００２７】
発光パネル２１は、有機ＥＬ素子を光源として、その発光面側から順に、透光性基板と、発光部と、発光部を封止する封止缶と、を有する（不図示）。発光部は、例えば、透光性基板側から順に、透明導電膜から成る正電極と、発光性有機材料を含む発光層と、光反射性を有する負電極と、を有する。封止缶は、発光部を外気、特に、水分及び酸素から隔離して発光部の劣化を防ぐ。なお、光源部２の光源は、有機ＥＬ素子に限られず、例えば、ＬＥＤ及びこのＬＥＤからの光を導光及び拡散する導光板から成る平面発光体が用いられてもよい。
【００２８】
保持部２４は、被保持部３４に係止する保持爪２４ａと、保持爪２４ａの両側部を一定範囲でスライド可能に支持する一対の支持部２４ｂと、一対の支持部２４ｂを接続しかつ保持部２４をモジュールケース２２に固定する固定部２４ｃと、を有する。固定部２４ｃと保持爪２４ａとの間にはバネ２４ｄが配され、このバネ２４ｄにより保持爪２４ａが係合部２３とは反対方向に付勢される。保持爪２４ａの被保持部３４と係合する端部は、先細り形状に形成されている。
【００２９】
光源部２は、その側面２２ｂ又は装着面２Ａの少なくとも一方に設けられて光源部及びベース部により区画された空間の外部へ引き出し可能とされたフック４を有する。本例におけるフック４は、保持部２４の保持爪２４ａをモジュールケース２２に対してスライド可能に支持する支持部２４ｂ及び固定部２４ｃに取り付けられている。
【００３０】
フック４は、Ｕ字状に屈曲したワイヤ状部材４１と、その両先端に夫々形成されたストッパ４２と、を有する。ワイヤ状部材４１は、一対の支持部２４ｂの夫々、及び固定部２４ｃを貫通しており、貫通したワイヤ状部材４１の両先端にストッパ４２が夫々形成されている。ワイヤ状部材４１は、所定の可撓性をしており、支持部２８に対してスライド可能とされ、その中間部が装着面２Ａから側面２２ｂ側に垂れ下がっている。ワイヤ状部材４１は、モジュールケース２２（光源部２）をベース部３から取り外すのに必要な力に耐えうる強度の樹脂、金属、紐等により形成される。ストッパ４２は、固定部２４ｃから所定間隔離れた位置にあり、フック４は、上記の間隔分だけ保持部２４に対してスライド可能となる。
【００３１】
図６（ａ）に示すように、ストッパ４２が、支持部２８から所定間隔で離れた位置にあるとき、ワイヤ状部材４１は、モジュールケース２２の側面２２ｂと被保持部３４との間に収容されている。被保持部３４の先端は側面２２ｂから離れるように屈曲しているので、側面２２ｂと被保持部３４との間には僅かな隙間があり、この隙間に作業者の指、又は図示した工具Ｔを差し込むことで、フック４をスライドさせ、光源部２の正面側へ引き出すことができる。なお、モジュールケース２２の側面２２ｂと被保持部３４とがワイヤ状部材４１を挟み込んでフック４が固定されることを防止するため、被保持部３４のＶ字状部に、ワイヤ状部材４１を通すための切り込み（２点鎖線で示す）が形成されていてもよい。
【００３２】
フック４が引っ張られ、図６（ｂ）に示すように、ストッパ４２が支持部２８に当接すると、フック４を引っ張る力は、光源部２を引っ張る力として作用する。このとき、保持部２４がその付勢方向と反対方向にスライドし、被保持部３４のＶ字状部を乗り越える。これにより、保持部２４及び被保持部３４間の保持が解除され、光源部２をベース部３から容易に取り外すことができる。
【００３３】
また、フック４が保持部２４に取り付けられているので、フック４を引っ張る力が保持部２４に効率的に加わり易く、保持部２４の保持爪２４ａをスライドさせて保持部２４及び被保持部３４間の保持を容易に解除することができる。また、フック４は、モジュールケース２２の片縁の中央に配置されているので、例えば、光源部２が、図４で示した光源部２ｂ、２ｃような長尺形状であっても、いずれかの端部がぐらつくことなく安定的に光源部２をベース部３から取り外すことができる。
【００３４】
次に、上記実施形態の第１の変形例に係る照明装置について、図７を参照して説明する。ベース部３の構成は上記実施形態と同様であり、ここでは光源部２の構成を説明する。この変形例では、モジュールケース２２が、その側面２２ｂにフック４を収納する切り欠き部２２ｃを有するものである。透光性カバー２６にも同様の切り欠き部２６ａが形成される。他の構成は、上記実施形態と同様である。
【００３５】
この変形例によれば、フック４が切り欠き部２２ｃに収納されるので、モジュールケース２２の側面２２ｂと被保持部３４とがワイヤ状部材４１を挟み込むことがなく、フック４が固定されることを防止することができる。また、被保持部３４のＶ字状部に切り込み等を形成する必要もないので、ベース部３の任意の位置に光源部２を取り付けることができる。
【００３６】
次に、上記実施形態の第２の変形例に係る照明装置について、図８を参照して説明する。ここでも光源部２の構成のみを説明する。この変形例では、フック４が、平板片４３から成り、その一端部がモジュールケース２２の側面２２ｂにヒンジ４４を介して接続され、このヒンジ４４を中心として回動することにより、光源部２の正面側へ引き出される。モジュールケース２２の側面２２ｂには、上記第１の変形例と同様、切り欠き部２２ｃが形成され、フック４がこの切り欠き部２２ｃに収納される。平板片４３のヒンジ４４が設けられた端部と反対側の端部には、孔４５が形成されている。切り欠き部２２ｃの隙間から工具（不図示）を指し込み、工具を孔４５に引っ掛けることで、フック４を回動させ、そのままフック４を引っ張ることにより、上記図６（ｂ）で示したように、光源部２をベース部３から容易に取り外すことができる。この変形例では、フック４が簡易な構成となり、また、保持部２４にフック４を取り付けるための構成を組み込む必要がないので、従来の保持部２４をそのまま採用することができる。
【００３７】
本発明の第２の実施形態に係る照明装置について、図９を参照して説明する。本実施形態に係る照明装置１では、光源部２が、モジュールケース２２の側面２２ｂ及び正面（透光性カバー２６）に設けられて、光源部２及びモジュールケース２２によって区画される空間の外部に引き出し可能とされたフック４を有する。具体的には、フック４は、粘着面を有する透光性テープ状部材４６から成り、このテープ状部材４６が、モジュールケース２２の側面２２ｂから透光性カバー２６にかけて貼付されている。テープ状部材４６は、モジュールケース２２の側面２２ｂだけでなく、更に背面（図１に示した装着面２Ａ）側に回り込むように貼付されていてもよい。テープ状部材４６は、モジュールケース２２に強固に固定されている。また、テープ状部材４６は、モジュールケース２２（光源部２）をベース部３から取り外すのに必要な力に耐えうる強度の樹脂等により形成される。なお、テープ状部材４６の粘着面のうち、透光性カバー２６と接着される箇所の接着力が比較的弱くなるようにすれば、この部分を比較的容易に剥がすことができる。
【００３８】
この構成によれば、テープ状部材４６の透光性カバー２６と接着される箇所を剥がし、この部分をフック４として、ユーザが手で引っ張ることにより、光源部２をベース部３から容易に取り外すことができる。また、モジュールケース２２や保持部２４に対する加工も必要ないので、フック４を極めて簡易な構成とすることができる。また、テープ状部材４６は透光性を有するので、透光性カバー２６の表面に貼られていても、殆ど存在感を与えず、光源部２の見栄えを低下させない。
【００３９】
次に、上記実施形態の第１の変形例に係る照明装置について、図１０を参照して説明する。ベース部３の構成は上記実施形態と同様であり、ここでは光源部２の構成を説明する。この変形例では、フック４を複数備え、これらのフック４が、モジュールケース２２の片縁の中央に対して対称となる位置に配置されている。図例では、上記第２の実施形態で説明したテープ状部材４６から成るフック４が２箇所に設けられている。この変形例によれば、光源部２が、図１で示した光源部２ｂ、２ｃような長尺形状であっても、複数のフック４を引っ張ることで、いずれかの端部がぐらつくことなく安定的に光源部２をベース部３から取り外すことができる。なお、フック４の数は、光源部２の長手方向の長さに応じて決められるが、ユーザが左右の両手で作業できるように、２箇所であることが好ましい。
【００４０】
次に、上記実施形態の第２の変形例に係る照明装置について、図１１を参照して説明する。ここでも光源部２の構成のみを説明する。この変形例では、テープ状部材４６が、モジュールケースの正面端部又は内側面の少なくとも一方に固定され、モジュールケース２２の外側に折り畳まれて収納される。この変形例によれば、ユーザが折り畳まれたテープ状部材４６を引っ張ることで、光源部２をベース部３から容易に取り外すことができる。また、この変形例では、テープ状部材４６は、透光性カバー２６表面に貼られないので、透光性である必要はなく、所定の強度を有し、かつ折り畳み可能な可撓性を有する任意の部材を用いることができる。
【００４１】
次に、上記実施形態の第３の変形例に係る照明装置について、図１２を参照して説明する。ここでも光源部２の構成のみを説明する。この変形例では、テープ状部材４６が、モジュールケースの内側面に固定され、モジュールケース２２の内側に折り畳まれて収納される。この変形例によれば、ユーザが、透光性カバー２６を外した上で、折り畳まれたテープ状部材４６を引っ張ることで、光源部２をベース部３から容易に取り外すことができる。
【００４２】
なお、本発明に係る照明装置は、上記実施形態及びその変形例に限定されず、種々の変形が可能である。例えば、上記第１の実施形態では、保持部２４にフック４を取り付けた構成を示したが、フック４をモジュールケース２２にスライド可能に取り付けるための専用の支持部材（不図示）が設けられてもよい。こうすれば、上記第２の実施形態における第１の変形例（図１０参照）のように、光源部２が長尺化されたとき、モジュールケース２２に複数のフック４を設けることができる。
【符号の説明】
【００４３】
１    照明装置
２    光源部
２Ａ    装着面（背面）
２１    発光パネル
２２    モジュールケース
２２ａ    開口面
２２ｂ    側面
２２ｃ    切り欠き部
２３    係合部
２４    保持部
２６    透光性カバー
３    ベース部
３２    給電部
３３    被係合部
３４    被保持部
４    フック
４４    ヒンジ
４６    テープ状部材
【図１】
2014107116.tif 000003
【図２】
2014107116.tif 000004
【図３】
2014107116.tif 000005
【図４】
2014107116.tif 000006
【図５】
2014107116.tif 000007
【図６】
2014107116.tif 000008
【図７】
2014107116.tif 000009
【図８】
2014107116.tif 000010
【図９】
2014107116.tif 000011
【図１０】
2014107116.tif 000012
【図１１】
2014107116.tif 000013
【図１２】
2014107116.tif 000014